(57)【特許請求の範囲】
【請求項１】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
を有し、
前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、
前記電子機器は、
操作部と、
前記仮想入力面の傾斜が前記第１傾斜であるときに、前記操作部を用いた操作を制限するロック処理部と
を備える、電子機器。
【請求項２】
請求項１に記載の電子機器であって、
前記輝度制御部は、前記仮想入力面の傾斜が前記第１傾斜であるときに、前記表示部の輝度を低下して前記表示部を非表示とする、電子機器。
【請求項３】
請求項１または請求項２に記載の電子機器であって、
前記ロック処理部は、前記操作部の制限として、前記操作部の全ての操作を無効にする、電子機器。
【請求項４】
請求項１から請求項３のいずれか一つに記載の電子機器であって、
前記ロック処理部は、前記仮想入力面の傾斜が前記第２傾斜であるときに、前記操作の制限を解除する、電子機器。
【請求項５】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
を有し、
前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、
前記電子機器は、
前記操作部位の前記仮想入力面における動きに対応する入力内容を、前記動き情報に基づいて特定する特定部と、
操作部と、
前記操作部の操作の制限／解除を行うロック処理部と
を備え、
前記入力内容が前記制限を解除する解除入力であり、かつ、前記入力内容に対応する前記操作部位の動きについての前記仮想入力面の傾斜が前記第２傾斜であるときに、前記解除入力を無効にする、電子機器。
【請求項６】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
を有し、
前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、
前記電子機器は、
順次に行われる前記操作部位の前記仮想入力面における動きに対応する入力内容を、前記動き情報に基づいて順次に特定する動き特定部を備え、
前記操作部位の第１動きおよび第２動きに対応してそれぞれ特定された第１入力内容および第２入力内容が、それぞれ第１情報および第２情報の表示を含み、かつ、前記第１動きおよび第２動きについての前記仮想入力面の傾斜が、それぞれ前記第１傾斜および前記第２傾斜であるときに、前記表示部は、前記第１情報を表示せずに前記第２情報を表示する、電子機器。
【請求項７】
請求項６に記載の電子機器であって、
前記表示部は、前記第２情報とは異なる第３情報と、前記第１情報とを表示する、電子機器。
【請求項８】
請求項１から請求項４のいずれか一つに記載の電子機器であって、
前記操作部位の前記仮想入力面における動きに対応する入力内容を、前記動き情報に基づいて特定する動き特定部と、
前記入力内容に応じた処理を行う処理部を備える、電子機器。
【請求項９】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
を有し、
前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、
前記動き検出部は、前記動き情報として加速度を検出する加速度センサを有し、
前記電子機器は、
前記加速度の時系列データに基づいて、前記操作部位の、地面に垂直な方向の動き量を反映した垂直値と、前記操作部位の、地面に平行な方向の動き量を反映した水平値とを算出し、前記垂直値が所定量よりも大きいか小さいか、および、前記水平値が前記所定量よりも小さいか否かを特定する傾斜特定部を有し、
前記垂直値が前記所定量よりも小さいときの前記輝度は、前記水平値が前記所定量よりも小さいときの前記輝度よりも低い、電子機器。
【請求項１０】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
を有し、
前記輝度制御部は、前記電子機器が前記入力機器から受信する信号に基づいて算出される、通信品質を反映する通信値が、所定基準値よりも高いときに、前記第１輝度制御を実行し、前記通信値が前記所定基準値よりも低いときに、前記輝度を低下させる、電子機器。
【請求項１１】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
操作部と、
前記電子機器が前記入力機器から受信する信号に基づいて算出される、通信品質を反映する通信値が、所定基準値よりも低いときに、前記操作部の操作を制限するロック処理部と
を備える、電子機器。
【請求項１２】
ユーザの体の一部たる操作部位に装着され、前記操作部位の動きを反映する動き情報を検出する動き検出部を有する入力機器と通信する電子機器であって、
表示部と、
前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、
ダミー表示画面が予め記憶された記憶部と、
前記表示部を非表示から表示の状態に切り替える操作が行われる操作部と
を備え、
前記表示部は、前記電子機器が前記入力機器から受信する信号に基づいて算出される、通信品質を反映する通信値が、所定基準値よりも低い状態において、前記操作が行われたときに、前記ダミー表示画面を表示する、電子機器。
【請求項１３】
請求項１０から請求項１２のいずれか一つに記載の電子機器であって、
前記入力機器は報知部を有し、
前記電子機器は、前記通信値が前記所定基準値よりも低いときに、前記報知部に報知を指示する信号を前記入力機器へと送信する、電子機器。
【請求項１４】
請求項１０から請求項１２のいずれか一つに記載の電子機器であって、
前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くする、電子機器。
【請求項１５】
請求項１４に記載の電子機器であって、
前記電子機器は、
操作部と、
前記仮想入力面の傾斜が前記第１傾斜であるときに、前記操作部を用いた操作を制限するロック処理部と
を備える、電子機器。
【請求項１６】
請求項１から１５のいずれか一つに記載の電子機器と、
前記入力機器と
を備える、電子機器システム。
【発明の詳細な説明】
【技術分野】
【０００１】
本発明は、電子機器および電子機器システムに関する。
【背景技術】
【０００２】
特許文献１および特許文献２には、指輪型入力機器と端末とが記載されている。指輪型入力機器はユーザの指に装着され、当該指の動きを端末へと送信する。端末は、指の動きに応じた処理を実行する。
【先行技術文献】
【特許文献】
【０００３】
【特許文献１】特開２０１１−２２１６６９号公報
【特許文献２】米国特許出願公開第２００９／２５１４０７号明細書
【発明の概要】
【発明が解決しようとする課題】
【０００４】
しかしながら、特許文献１および特許文献２では、端末の表示部の輝度を調整する入力の簡易性を向上することについて記載も示唆もない。
【０００５】
本発明は上述の点に鑑みて成されたものであり、容易に輝度を調整できる電子機器を提供することを目的とする。
【課題を解決するための手段】
【０００６】
上記課題を解決するため、本発明にかかる電子機器の一態様は、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部とを有し、前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、前記電子機器は、操作部と、前記仮想入力面の傾斜が前記第１傾斜であるときに、前記操作部を用いた操作を制限するロック処理部とを備える。
【０００８】
また本発明にかかる電子機器の他の一態様においては、前記輝度制御部は、前記仮想入力面の傾斜が前記第１傾斜であるときに、前記表示部の輝度を低下して前記表示部を非表示とする。
【００１０】
また本発明にかかる電子機器の他の一態様においては、前記ロック処理部は、前記操作部の制限として、前記操作部の全ての操作を無効にする。
【００１１】
また本発明にかかる電子機器の他の一態様においては、前記ロック処理部は、前記仮想入力面の傾斜が前記第２傾斜であるときに、前記操作の制限を解除する。
【００１２】
また本発明にかかる電子機器の他の一態様は、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部とを有し、前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、前記電子機器は、前記操作部位の前記仮想入力面における動きに対応する入力内容を、前記動き情報に基づいて特定する特定部と、操作部と、前記操作部の操作の制限／解除を行うロック処理部とを備え、前記入力内容が前記制限を解除する解除入力であり、かつ、前記入力内容に対応する前記操作部位の動きについての前記仮想入力面の傾斜が前記第２傾斜であるときに、前記解除入力を無効にする。
【００１３】
また本発明にかかる電子機器の他の一態様は、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部とを有し、前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、前記電子機器は、順次に行われる前記操作部位の前記仮想入力面における動きに対応する入力内容を、前記動き情報に基づいて順次に特定する動き特定部を備え、前記操作部位の第１動きおよび第２動きに対応してそれぞれ特定された第１入力内容および第２入力内容が、それぞれ第１情報および第２情報の表示を含み、かつ、前記第１動きおよび第２動きについての前記仮想入力面の傾斜が、それぞれ前記第１傾斜および前記第２傾斜であるときに、前記表示部は、前記第１情報を表示せずに前記第２情報を表示する。
【００１４】
また本発明にかかる電子機器の他の一態様においては、前記表示部は、前記第２情報とは異なる第３情報と、前記第１情報とを表示する。
【００１５】
また本発明にかかる電子機器の他の一態様は、前記操作部位の前記仮想入力面における動きに対応する入力内容を、前記動き情報に基づいて特定する動き特定部と、前記入力内容に応じた処理を行う処理部を備える。
【００１６】
また本発明にかかる電子機器の他の一態様においては、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部とを有し、前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くし、前記動き検出部は、前記動き情報として加速度を検出する加速度センサを有し、前記電子機器は、前記加速度の時系列データに基づいて、前記操作部位の、地面に垂直な方向の動き量を反映した垂直値と、前記操作部位の、地面に平行な方向の動き量を反映した水平値とを算出し、前記垂直値が所定量よりも大きいか小さいか、および、前記水平値が前記所定量よりも小さいか否かを特定する傾斜特定部を有し、前記垂直値が前記所定量よりも小さいときの前記輝度は、前記水平値が前記所定量よりも小さいときの前記輝度よりも低い。
【００１７】
また本発明にかかる電子機器の他の一態様においては、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部とを有し、前記輝度制御部は、前記電子機器が前記入力機器から受信する信号に基づいて算出される、通信品質を反映する通信値が、所定基準値よりも高いときに、前記第１輝度制御を実行し、前記通信値が前記所定基準値よりも低いときに、前記輝度を低下させる。
【００１８】
また本発明にかかる電子機器の他の一態様においては、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、操作部と、前記電子機器が前記入力機器から受信する信号に基づいて算出される、通信品質を反映する通信値が、所定基準値よりも低いときに、前記操作部の操作を制限するロック処理部とを備える。
【００１９】
また本発明にかかる電子機器の他の一態様においては、ユーザの体の一部たる操作部位に装着され、前記操作部位の動きを反映する動き情報を検出する動き検出部を有する入力機器と通信する電子機器であって、表示部と、前記動き情報に基づいて把握される前記操作部位の軌跡が描かれる面または前記面に平行な面である、仮想入力面の傾斜に応じて、前記表示部の輝度を制御する第１輝度制御を実行する輝度制御部と、ダミー表示画面が予め記憶された記憶部と、前記表示部を非表示から表示の状態に切り替える操作が行われる操作部とを備え、前記表示部は、前記電子機器が前記入力機器から受信する信号に基づいて算出される、通信品質を反映する通信値が、所定基準値よりも低い状態において、前記操作が行われたときに、前記ダミー表示画面を表示する。
【００２０】
また本発明にかかる電子機器の他の一態様においては、前記入力機器は報知部を有し、前記電子機器は、前記通信値が前記所定基準値よりも低いときに、前記報知部に報知を指示する信号を前記入力機器へと送信する。
また本発明にかかる電子機器の他の一態様においては、前記輝度制御部は、前記仮想入力面の傾斜が第１傾斜であるときの前記表示部の輝度を、前記仮想入力面の傾斜が前記第１傾斜よりも急峻な第２傾斜であるときの前記表示部の輝度よりも低くする。
また本発明にかかる電子機器の他の一態様は、操作部と、前記仮想入力面の傾斜が前記第１傾斜であるときに、前記操作部を用いた操作を制限するロック処理部とを備える。
【００２１】
また本発明にかかる電子機器システム一態様においては、上記電子機器と上記入力機器とを備える。
【発明の効果】
【００２２】
本発明によれば、容易に輝度を調整できる。
【図面の簡単な説明】
【００２３】
【図１】電子機器システムの一例を概略的に示す図である。
【図２】装着型入力機器の内部構成の一例を概略的に示す図である。
【図３】電子機器の外観の一例を概略的に示す裏面図である。
【図４】電子機器の内部構成の一例を概略的に示す図である。
【図５】制御部の内部構成の一例を概略的に示す図である。
【図６】仮想入力面に対して操作部位を動かす様子を概略的に示す図である。
【図７】仮想入力面に対して操作部位を動かす様子を概略的に示す図である。
【図８】動き情報の一例を概略的に示す図である。
【図９】特定部および輝度制御部の動作の一例を示すフローチャートである。
【図１０】特定部および処理部の動作の一例を示すフローチャートである。
【図１１】操作部位の軌跡と仮想面との一例を概略的に示す図である。
【図１２】制御部の内部構成の一例を概略的に示す図である。
【図１３】制御部の動作の一例を示すフローチャートである。
【図１４】制御部の動作の一例を示すフローチャートである。
【図１５】制御部の動作の一例を示すフローチャートである。
【図１６】操作部位の動きと表示領域２ａの表示画面との一例を概略的に示す図である。
【図１７】制御部の動作の一例を示すフローチャートである。
【図１８】制御部の内部構成の一例を概略的に示す図である。
【図１９】制御部の動作の一例を示すフローチャートである。
【図２０】制御部の内部構成の一例を概略的に示す図である。
【図２１】制御部の動作の一例を示すフローチャートである。
【図２２】制御部の内部構成の一例を概略的に示す図である。
【図２３】制御部の動作の一例を示すフローチャートである。
【図２４】制御部の内部構成の一例を概略的に示す図である。
【図２５】制御部の動作の一例を示すフローチャートである。
【発明を実施するための形態】
【００２４】
第１の実施の形態．
＜１．全体構成＞
図１は、電子機器システムの構成の一例を概略的に示す図である。図１の例示では、電子機器システムは、電子機器１００および装着型入力機器２００を備えている。電子機器１００および装着型入力機器２００は互いに通信する。この電子機器システムにおいては、ユーザは、自身の体の一部たる操作部位（例えば指）を動かすことによって、その動きに応じた入力を電子機器１００に対して行う。これにより、ユーザは、電子機器１００から離れた状態で電子機器１００を操作することができる。
【００２５】
＜２．装着型入力機器＞
装着型入力機器２００はユーザの操作部位に装着される。図１の例示では、操作部位は指であり、装着型入力機器２００は全体としてリング状に構成されている。ユーザは、この装着型入力機器２００を当該指に嵌めることによって、装着型入力機器２００を装着する。よって、この装着型入力機器２００は、ユーザによって空間的に動かされることとなる。
【００２６】
図２は、装着型入力機器２００の電気的な内部構成の一例を概略的に示す図である。装着型入力機器２００は例えば近接無線通信部２１０と、動き情報検出部２２０とを備えている。
【００２７】
近接無線通信部２１０はアンテナ２１１を有しており、アンテナ２１１を介して電子機器１００と近接無線通信を行うことができる。近接無線通信部２１０は、例えばＢＬＵＥＴＯＯＴＨ（登録商標）規格などに則って通信を行なう。
【００２８】
動き情報検出部２２０は、装着型入力機器２００の空間的な動きを反映する動き情報ＭＤ１を検出する。装着型入力機器２００は操作部位に装着されているので、この動き情報ＭＤ１は操作部位の動きも反映する。よって以下では、装着型入力機器２００の空間内の動きを、操作部位の動きとして説明する。
【００２９】
動き情報検出部２２０は、検出した動き情報ＭＤ１を、近接無線通信部２１０を介して電子機器１００へと送信する。例えば動き情報検出部２２０は加速度センサ２２１を有している。この加速度センサ２２１は、互いに直交する３方向の加速度成分を、例えば所定時間ごとに繰り返し検出する。装着型入力機器２００の位置（即ち、操作部位の位置）は、加速度の、時間についての２回積分で表すことができるので、加速度センサ２２１の検出値の時系列データによって操作部位の動きを表すことができる。よってここでは、動き情報ＭＤ１の一例として、３方向の加速度成分の時系列データを採用する。
【００３０】
＜３．電子機器＞
＜３−１．外観＞
図１の例示では、電子機器１００の前面側から見た外観が示されている。図３は電子機器１００の概観を示す裏面図である。電子機器１００は、例えばタブレット、ＰＤＡ(Personal Digital Assistant)、または、携帯電話機（スマートフォンを含む）などである。この電子機器１００は、例えば、基地局及びサーバ等を通じて、或いは、直接に、他の通信装置と通信することが可能である。
【００３１】
図１および図３に示されるように、電子機器１００は、カバーパネル２とケース部分３を備えており、カバーパネル２とケース部分３とが組み合わされることによって、平面視で略長方形の板状を成す筐体（以下、機器ケースとも呼ぶ）４が構成されている。
【００３２】
カバーパネル２は、平面視において略長方形を成しており、電子機器１００の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。カバーパネル２の材料としては他に、例えば、ダイヤモンド、ジルコニア、チタニア、水晶、タンタル酸リチウム、酸化窒化アルミニウムなどが挙げられる。これらも、傷がよりつき難くなるという点で、純度が約９０％以上の単結晶が好ましい。
【００３３】
カバーパネル２は、サファイアから成る層を含む複数層構造の複合パネル（積層パネル）であっても良い。例えば、カバーパネル２は、電子機器１００の表面に設けられたサファイアから成る層（サファイアパネル）と、当該層に貼り付けられたガラスから成る層（ガラスパネル）とで構成された２層構造の複合パネルであっても良い。また、カバーパネル２は、電子機器１００の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００３４】
ケース部分３は、電子機器１００の前面部分の周縁部分、側面部分及び裏面部分を構成している。ケース部分３は、例えばポリカーボネート樹脂で形成されている。
【００３５】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル５０が貼り付けられており、ユーザは、電子機器１００の前面の表示領域２ａを指等で操作することによって、電子機器１００に対して各種指示を与えることができる。なお、ユーザは、指以外の操作子、例えば、スタイラスペンなどの静電式タッチパネル用ペンで表示領域２ａを操作することによっても、電子機器１００に対して各種指示を与えることができる。
【００３６】
機器ケース４内には、例えば操作キー５が設けられている。操作キー５は、例えばハードウェアキーであって、例えばカバーパネル２の前面の下側端部に設けられている。
【００３７】
タッチパネル５０および操作キー５は、電子機器１００への操作を行う操作部である。
【００３８】
＜３−２．電子機器の電気的構成＞
図４は電子機器１００の電気的構成を示すブロック図である。図４に示されるように、電子機器１００には、制御部１０、無線通信部２０、近接無線通信部２２、表示部３０、レシーバ４２、スピーカ４４、音声入力部４６、タッチパネル５０、キー操作部５２、撮像部６０が設けられている。電子機器１００に設けられたこれらの構成要素は、機器ケース４に収められている。
【００３９】
制御部１０は、例えばＣＰＵ（Central Processing Unit）１０１、ＤＳＰ（Digital Signal Processor）１０２及び記憶部１０３等を備えており、電子機器１００の他の構成要素を制御することによって、電子機器１００の動作を統括的に管理する。記憶部１０３は、ＲＯＭ（Read Only Memory）及びＲＡＭ（Random Access Memory）等で構成されている。記憶部１０３には、電子機器１００の動作、具体的には電子機器１００が備える無線通信部２０、表示部３０等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図４の例示では、ＣＰＵ１０１およびＤＳＰ１０２がそれぞれ一つ示されているものの、これらは複数設けられてもよい。そして、これらが互いに協働して各種機能を実現してもよい。また、図４の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００４０】
無線通信部２０は、アンテナ２１を有している。無線通信部２０は、他の携帯電話機あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の携帯電話機あるいはインターネットに接続された通信装置で受信される。
【００４１】
近接無線通信部２２は、アンテナ２３を有している。近接無線通信部２２は、無線通信部２０の通信対象（例えば基地局）に比べて近い位置に存在する通信端末との通信を、アンテナ２３を介して行なう。例えば装着型入力機器２００と通信を行う。近接無線通信部２２は、例えばＢＬＵＥＴＯＯＴＨ（登録商標）規格などに則って通信を行なう。
【００４２】
表示部３０は、例えば、液晶表示パネルあるいは有機ＥＬパネルである。表示部３０は、制御部１０によって制御されることによって、文字、記号、図形または画像などの各種情報を表示する。表示部３０に表示される情報は、カバーパネル２の前面の表示領域２ａに表示される。したがって、表示部３０は、表示領域２ａに表示を行っていると言える。表示部３０が例えば液晶表示パネルである場合には、当該液晶表示パネルに光を照射するバックライトが設けられ、このバックライトの輝度によって表示部３０の輝度を調整できる。表示部３０が例えば有機ＥＬパネルである場合には、表示素子ごとに輝度を調整できるところ、本実施の形態では、画面の平均的な輝度を調整する。
【００４３】
タッチパネル５０は、カバーパネル２の表示領域２ａに対する操作指等の操作子による操作を検出する。タッチパネル５０は、例えば、投影型静電容量方式のタッチパネルであって、カバーパネル２の裏面に貼り付けられている。ユーザが操作指等の操作子によってカバーパネル２の表示領域２ａに対して操作を行うと、それに応じた信号がタッチパネル５０から制御部１０に入力される。制御部１０は、タッチパネル５０からの信号に基づいて、表示領域２ａに対して行われた操作の内容を特定して、その内容に応じた処理を行う。
【００４４】
キー操作部５２は、各操作キー５に対するユーザの押下操作を検出する。キー操作部５２は、各操作キー５について、当該操作キー５が押下されているか否かを検出する。キー操作部５２は、操作キー５が押下されていない場合には、当該操作キー５が操作されていないことを示す未操作信号を制御部１０に出力する。また、キー操作部５２は、操作キー５が押下されると、当該操作キー５が操作されたことを示す操作信号を制御部１０に出力する。これにより、制御部１０は、各操作キー５について、当該操作キー５が操作されているか否かを判断することができる。
【００４５】
レシーバ４２は、受話音を出力するものであって、例えばダイナミックスピーカで構成されている。レシーバ４２は、制御部１０からの電気的な音信号を音に変換して出力する。レシーバ４２から出力される音は、電子機器１００の前面に設けられたレシーバ穴８０ａから外部に出力される。レシーバ穴８０ａから出力される音の音量は、スピーカ４４からスピーカ穴３４ａを介して出力される音の音量よりも小さくなっている。
【００４６】
なおレシーバ４２に替えて、圧電振動素子が設けられてもよい。圧電振動素子は、制御部１０によって制御され、音声信号に基づいて振動する。圧電振動素子は例えばカバーパネル２の裏面に設けられており、音声信号に基づく自身の振動によってカバーパネル２を振動させる。これにより、カバーパネル２の振動が音声としてユーザの耳に伝達される。この場合、レシーバ穴８０ａは不要である。
【００４７】
スピーカ４４は、例えばダイナミックスピーカであって、制御部１０からの電気的な音信号を音に変換して出力する。スピーカ４４から出力される音は、電子機器１００の裏面に設けられたスピーカ穴３４ａから外部に出力される。スピーカ穴３４ａから出力される音が、電子機器１００から離れた場所でも聞こえるように、その音量が調整されている。スピーカ４４は例えば着信音などを出力する。
【００４８】
音声入力部４６はマイクであって、電子機器１００の外部から入力される音を電気的な音信号に変換して制御部１０に出力する。電子機器１００の外部からの音は、カバーパネル２の前面に設けられたマイク穴から電子機器１００の内部に取り込まれて音声入力部４６に入力される。
【００４９】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像する。図１に示されるように、撮像レンズ６ａは、電子機器１００の前面に設けられていることから、電子機器１００の前面側（カバーパネル２側）に存在する物体を撮像することが可能である。
【００５０】
第２撮像部６４は、撮像レンズ７ａおよび撮像素子などで構成されており、制御部１０による制御に基づいて、静止画像および動画像を撮像する。図３に示されるように、撮像レンズ７ａは、電子機器１００の裏面に設けられていることから、電子機器１００の裏面側に存在する物体を撮像することが可能である。
【００５１】
＜３−３．制御部＞
図５は、制御部１０の内部構成の一例を概略的に示す機能ブロック図である。制御部１０は、特定部１１０と、輝度制御部１２０と、処理部１３０とを備えている。これらの機能部は、例えば記憶部１０３に格納されたプログラムの実行によって実現されてもよく、或いは、その一部または全部がハードウェアで実現されてもよい。この点は後に述べる他の機能部についても同様であるので、繰り返しの説明を避ける。
【００５２】
特定部１１０は、装着型入力機器２００からの動き情報ＭＤ１を、近接無線通信部２２を介して受け取り、装着型入力機器２００の動き（例えば操作部位の動き）を特定する。
【００５３】
ここで、操作部位の動きについて説明する。本実施の形態では、ユーザは電子機器１００への入力動作として、仮想的な入力面（以下、仮想入力面と呼ぶ）に対して、操作部位を所定のパターン（以下、軌跡パターンと呼ぶ）で動かす。図６および図７は、ユーザが操作部位を動かす様子の一例を概略的に示している。例えばユーザは、図６に示すように、地面に対して垂直な仮想入力面ＶＳ１に対して操作部位をある軌跡パターン（例えば円）Ｐ１で動かしたり、図７に示すように、地面に対して水平な仮想入力面ＶＳ２に対して操作部位を軌跡パターンＰ１で動かす。
【００５４】
この軌跡パターンには、文字、数字、記号および図形などが含まれてよい。この場合、仮想入力面に対する動きは、仮想入力面に対して文字および数字を仮想的に書く動作、または、記号および図形を仮想的に描画する動作と把握することができる。
【００５５】
さて、本実施の形態では、後の説明から明らかになるように、仮想入力面の傾斜は表示部３０の輝度を指定する入力を示し、その仮想入力面に対する操作部位の動きの軌跡パターンは、電子機器１００の各種機能に対する指示などの入力を示す。
【００５６】
そこで、特定部１１０は、仮想入力面の傾斜と、その仮想入力面に対する操作部位の動きの軌跡パターンを特定する。
【００５７】
以下では、説明を容易にするために、仮想入力面ＶＳ１に平行かつ地面に水平な方向に沿う軸をｘ軸、仮想入力面ＶＳ１に垂直な方向に沿う軸をｙ軸、地面に垂直な方向に沿う軸をｚ軸と呼ぶ（図６参照）。よって仮想入力面ＶＳ２は、ｚ軸に垂直であり、ｘ軸およびｙ軸に平行となる（図７参照）。
【００５８】
さて、仮想入力面ＶＳ１に対する操作部位の動きによれば、動き情報ＭＤ１の一例たる加速度の時系列データにおいて、そのｙ軸成分は、ｘ軸成分およびｚ軸成分に比べて小さい。なぜなら、仮想入力面ＶＳ１に対して操作部位を動かす場合に、仮想入力面ＶＳ１に垂直なｙ軸に沿って操作部位を動かす必要性が少ないからである。図８は、仮想入力面ＶＳ１に対して理想的に操作部位を動かした場合の、動き情報ＭＤ１の一例を模式的に示している。なお図８では簡単のために重力加速度を無視している。図８の例示では、加速度のｙ軸成分は全て零で示されている。
【００５９】
また、図８の例示では、仮想入力面ＶＳ１に対してある軌跡パターンで操作部位を動かす場合に、その軌跡パターンの初期および終期において、操作部位を一時的に静止させる場合の時系列データが例示されている。よって図８の例示では、時系列データの初期と終期において、ｘ軸成分、ｙ軸成分およびｚ軸成分が全て零になっている。これは、例えば、特定部１１０が軌跡パターンの初期と終期とを認識するための条件としても採用できる。
【００６０】
特定部１１０は、この加速度の時系列データにおいてｙ軸成分の値を確認することにより、操作部位が仮想入力面ＶＳ１に対して動いたことを認識することができる。例えば特定部１１０は、時系列データにおけるｙ軸成分の絶対値の総和を算出し、その総和と傾斜基準値とを比較する。このような算出および比較は周知の加算器および比較器を用いて行うことができる。そして、この総和が傾斜基準値よりも小さいと判断したときに、特定部１１０は、仮想入力面ＶＳ１に対して操作部位が動かされたと判断する。言い換えれば、仮想入力面の傾斜は地面に対して急峻であると判断する。
【００６１】
同様に、仮想入力面ＶＳ２に対する操作部位の動きによれば、加速度の時系列データにおいて、そのｚ軸成分は、ｘ軸成分およびｙ軸成分に比べて小さい。よって、加速度の時系列データにおいてｚ軸成分の値を確認することにより、特定部１１０は操作部位が仮想入力面ＶＳ２に対して動いたことを認識できる。例えばｚ軸成分の絶対値の総和が傾斜基準値よりも小さいときに、特定部１１０は、仮想入力面ＶＳ２に対して操作部位が動かされたと判断する。言い換えれば、仮想入力面の傾斜は地面に対して緩やかであると判断する。
【００６２】
あるいは、加速度の２回積分が操作部位の位置を示すことに鑑みると、次のようにして仮想入力面の傾斜を判断してもよい。まず、加速度のｙ軸成分の２回積分に基づいて、ｙ軸に沿う操作部位の位置を算出し、この位置に基づいてｙ軸方向の操作部位の動き量を算出する。この動き量は、ｙ軸方向の各位置の間の距離が最も長い距離として算出できる。そして、そのｙ軸の動き量が所定の動き基準値よりも小さいときに、仮想入力面ＶＳ１に対して操作部位が動かされたと判断する。同様に、ｚ軸の移動量が移動量基準値よりも小さいときには、仮想入力面ＶＳ２に対して操作部位が動かされたと判断する。
【００６３】
要するに、ｙ軸方向における操作部位の動き量を反映する垂直値が所定基準値よりも小さいときに、仮想入力面の傾斜が急峻であると判断し、ｚ軸方向における操作部位の動き量を反映する水平値が所定基準値よりも小さいときに、仮想入力面の傾斜が緩やかであると判断すればよい。
【００６４】
以上のようにして、特定部１１０は仮想入力面の傾斜の程度を了知することができる。そして、この傾斜についての情報は輝度制御部１２０へと出力される。輝度制御部１２０は仮想入力面の傾斜に応じて表示部３０の輝度を制御する。例えば表示部３０が液晶表示パネルである場合には、輝度制御部１２０はバックライトの輝度を制御する。
【００６５】
図９は特定部１１０と輝度制御部１２０の動作の具体的な一例を示すフローチャートである。図９の動作は、操作部位が入力単位で動くたびに行われる。ここでいう入力単位とは、操作部位の軌跡パターンごとの動きをいう。図９の例示では、まずステップＳ１において、特定部１１０は、例えば上述のようにして、仮想入力面が急峻か緩やかかを判断する。その判断結果は、輝度制御部１２０へと出力される。
【００６６】
ステップＳ１において、仮想入力面の傾斜が急峻であると判断されると、ステップＳ２にて、輝度制御部１２０は表示部３０の輝度を第１値とする。一方で、ステップＳ１において仮想入力面の傾斜が緩やかであると判断されると、ステップＳ３にて、輝度制御部１２０は表示部３０の輝度を第１値よりも低い第２値とする。
【００６７】
以上のように、ユーザは仮想入力面の傾斜により、輝度を調整することができる。よってユーザは、簡易な動きで輝度を調整することができる。
【００６８】
しかも上述の具体例では、輝度制御部１２０は、緩やかな仮想入力面に対する動きがあったときに、輝度を低い値としている。これは、以下で説明するように、入力の秘匿性という点で好ましい。
【００６９】
さて、表示部３０の輝度が低い場合には、輝度が高い場合に比べて、表示部３０の表示内容は第三者によって看取されにくい。なぜなら、暗い画面は見にくいからである。一方で、緩やかな仮想入力面に対する操作部位の動きは、急峻な仮想入力面に対する操作部位の動きに比べて、第三者によって看取されにくい。その理由の一つとして、人は奥行方向の動きを認識しにくいことが挙げられる。
【００７０】
つまり、本実施の形態では、看取されにくい操作部位の動きで電子機器１００へと入力を行ったときに、看取されにくい輝度で表示部３０を表示しているのである。よって、ユーザは、高い秘匿性で入力を行うことができるのである。
【００７１】
なお、輝度制御部１２０は、仮想入力面の傾斜が緩やかなときに、ステップＳ３において表示部３０の表示を終了してもよい。言い換えれば、輝度の値を零にしてもよい。ここでいう輝度は表示部３０の全体的な輝度であり、例えば液晶表示パネルを照射するバックライトが複数設けられている場合には、全てのバックライトを消灯することによって、輝度を零にする。これによれば、秘匿性を更に高めることができる。
【００７２】
また上述の具体例では、仮想入力面の傾斜が急峻か緩やかかの二値情報に応じて、輝度を二値で変更したものの、より細かく仮想入力面の傾斜に応じて、輝度を変更しても構わない。
【００７３】
次に、軌跡パターンに応じた入力について説明する。図１０は特定部１１０および処理部１３０の動作の一例を示す図である。図１０の動作は例えば図９の動作の後に行われる。ステップＳ２０にて、特定部１１０は、動き情報ＭＤ１に基づいて、仮想入力面における軌跡パターンに対応する入力内容も特定する。この特定は任意の方法で行えばよいものの、その一例について概説する。
【００７４】
図５を参照して、記憶部７０には、複数の登録パターン情報ＳＰ１が予め記憶されている。なお、記憶部７０は記憶部１０３とは別に設けられた記憶部であってもよく、あるいは記憶部１０３であってもよい。登録パターン情報ＳＰ１は、操作部位を予め決められた所定の軌跡パターンで動かしたときの動き情報である。登録パターン情報ＳＰ１に対応する軌跡パターンの仮想入力面としては、例えば仮想入力面ＶＳ１を採用する。この場合、登録パターン情報ＳＰ１において例えば加速度のｙ軸成分は零である。
【００７５】
特定部１１０は、記憶部７０に記憶された複数の登録パターン情報ＳＰ１の各々と、動き情報ＭＤ１とを対比して、軌跡パターンを特定する。ただし、登録パターン情報ＳＰ１の仮想入力面と、動き情報ＭＤ１の仮想入力面の相違を吸収して、これらを対比する必要がある。
【００７６】
さて、特定部１１０は、仮想入力面ＶＳ１に対して操作部位が動いたと判断したときには、動き情報ＭＤ１および登録パターン情報ＳＰ１の仮想入力面が互いに同じなので、動き情報ＭＤ１と複数の登録パターン情報ＳＰ１の各々とをそのまま対比する。そして、動き情報ＭＤ１との類似度が最も高く、かつ、所定の類似基準値よりも高い一つの登録パターン情報ＳＰ１を特定する。この類似度は、任意の手法で算出されればよいものの、例えば、動き情報ＭＤ１の時系列データの各値と登録パターン情報ＳＰ１の時系列データの各値の差分の絶対値の総和で算出される。具体的には、ｘ軸成分の差分の絶対値の総和と、ｙ軸成分の差分の絶対値の総和と、ｚ軸成分の差分の絶対値の総和との和を採用できる。この和が小さいほど類似度は高い。
【００７７】
なお、ｙ軸成分は、仮想入力面ＶＳ１の軌跡パターンにはほとんど影響しないので、類似度にｙ軸成分を含めてなくてもよい。この場合、演算を簡易にすることができる。
【００７８】
また特定部１１０は、仮想入力面ＶＳ２に対して操作部位が動いたと判断したときには、動き情報ＭＤ１を仮想入力面ＶＳ２から仮想入力面ＶＳ１へと変換する。この変換は、例えば加速度のｘ軸成分、ｙ軸成分およびｚ軸成分を、それぞれをｙ軸成分、ｘ軸成分およびｚ軸成分とみなすことで実現できる。そして、変換後の動き情報ＭＤ１との類似度が所定の類似基準値よりも高く、かつ、所定の類似基準値よりも高い一つの登録パターン情報ＳＰ１を特定する。
【００７９】
このようにして、一つの登録パターン情報ＳＰ１、即ち軌跡パターンを特定できる。そして特定部１１０は、軌跡パターンに対応した電子機器１００への入力内容も特定する。例えば記憶部７０には、登録パターン情報ＳＰ１に対応する入力内容も記憶されている。そして、特定部１１０は、特定した一つの登録パターン情報ＳＰ１に対応する入力内容の情報を記憶部７０から読み出して、これを処理部１３０へと出力する。
【００８０】
ステップＳ２１にて、処理部１３０は、特定部１１０によって特定された入力内容に応じた処理を行う。つまり、操作部位の動きの軌跡パターンに応じた処理が行われる。例えばその入力内容が、所定情報の表示であれば、処理部１３０はその所定情報を表示部３０に表示する。より具体的には、所定情報が含まれた画面情報を生成し、これを表示部３０へと出力する。画面情報を受け取った表示部３０はこれを表示する。これにより、操作部位の動きに応じて、表示部３０の表示画面を適切に更新することができる。
【００８１】
以上のように、ユーザは操作部位の一度の動きで、軌跡パターンに応じた入力と、輝度についての入力との両方を行うことができる。したがって、それぞれを入力するために異なる動きを行う場合に比べて、簡易な動きで両入力を行うことができる。
【００８２】
次に、ステップＳ３において表示部３０の表示を終了した場合の、軌跡パターンに応じた入力内容の処理の一例について説明する。このとき、表示部３０の表示は、例えばバックライトの消灯などにより終了しているので、軌跡パターンに応じた入力内容に所定情報が含まれている場合であっても、所定情報は表示されない。そこで、処理部１３０は、当該所定情報に基づいて表示部３０に表示すべき画面情報を更新し、これを例えば記憶部１０３に記憶しておいてもよい。そして、傾斜が急峻な仮想入力面に対して操作部位が動かされて、ステップＳ２にて高い輝度で表示部３０が制御されたときに、処理部１３０は、最新の画面情報を記憶部１０３から読み出して、これを表示部３０に表示してもよい。
【００８３】
例えば、ユーザが電子メールの本文のテキスト情報を入力している場合について説明する。より具体的な例として、「おはようございます。」のうち、「おは」が既に本文のテキスト情報として入力されており、緩やかな仮想入力面で「よ」を入力する。緩やかな仮想入力面に対する動きが行われたので、表示部３０の表示が終了する（ステップＳ３）。よって入力されたテキスト情報も表示されない。しかるに、処理部１３０はそのテキスト情報に基づいて画面情報を更新して記憶する。よって画面情報に含まれる電子メールの本文には、当該テキスト情報が反映される。よって画面情報の本文には「おはよ」というテキスト情報が含まれる。そして、緩やかな仮想入力面で順次にテキスト情報が入力されると、処理部１３０は例えばその入力の度に、画面情報を更新する。例えば「う」「ご」が順次に入力されると、画面情報の本文には、「おはようご」というテキスト情報が含まれる。
【００８４】
そして、本文の入力中に、ユーザがその本文を表示部３０で確認したい場合には、急峻な仮想入力面に対して操作部位を動かして本文のテキスト情報を入力する。これにより、輝度制御部１２０は輝度を高い値としつつ、処理部１３０が最新の画面情報を表示部３０に表示するのである。例えばユーザが急峻な仮想入力面で「ざ」を入力すると、輝度制御部１２０が輝度を高い値にしつつ、処理部１３０は本文に「おはようござ」を含む画面情報を表示部３０に表示する。
【００８５】
以上のように、ユーザは、傾斜が緩やかな仮想入力面に対して操作部位を動かすことによって、表示部３０の表示を終了して秘匿性を向上しつつも、その操作部位の動きによって所定情報の入力を継続して行うことができる。そして、入力された所定情報を確認したい場合には、傾斜が急峻な仮想入力面に対して操作部位を動かすことによって、表示部３０において、所定情報が反映された画面情報を視認することができるのである。
【００８６】
なお画面情報の更新は、所定情報の入力の都度、行う必要はなく、急峻な仮想入力面に対して操作部位を動かしたときに一度に行ってもよい。例えば、緩やかな仮想入力面で入力された「よ」「う」「ご」を記憶しておき、急峻な仮想入力面で「ざ」が入力されたときに、これらの情報を纏めて画面情報に反映させてもよい。
【００８７】
なお、上述の具体例では、仮想入力面ＶＳ１に対する登録パターン情報ＳＰ１が記憶されていた。しかるに、仮想入力面ＶＳ１に対する軌跡パターンの動き情報と、仮想入力面ＶＳ２に対する軌跡パターンの動き情報とを、それぞれ登録パターン情報ＳＰ１として予め記憶しておいてもよい。この場合、動き情報ＭＤ１の仮想入力面を変換する必要がない。単に、動き情報ＭＤ１と登録パターン情報ＳＰ１とを対比し、動き情報ＭＤ１との類似度が最も高い一つの登録パターン情報ＳＰ１を特定することにより、仮想入力面と軌跡パターンとの両方を特定することができる。
【００８８】
なお上述した仮想入力面は、次に説明するように定義することもできる。まず、操作部位の軌跡と仮想面との関係について考慮する。操作部位を用いて、ある仮想面に対して文字および数字を書く動作を行ったり、記号および図形を描画する動作を行えば、理想的には操作部位の軌跡は当該仮想面に含まれる。つまり、理想的には当該軌跡と当該仮想面との距離は零である。よって図１１を参照して、当該仮想面（二点鎖線を参照）は、操作部位の軌跡Ｌ１の各点との距離Ｄ１の総和が最も小さい面（最小距離面と呼ぶ）と把握することができるのである。
【００８９】
またここでは仮想入力面の傾斜を特定するところ、互いに平行な面同士の傾斜は同じなので、仮想入力面をこの最小距離面に平行な面と定義しても構わない。
【００９０】
また、特定部１１０および輝度制御部１２０は仮想入力面を認識する必要はなく、例えば上述のように、単に、ｙ軸方向の操作部位の動き量が基準値より小さいときの輝度を、ｚ軸方向の操作部位の動き量が基準値よりも大きいときの輝度よりも小さくしてもよいのである。つまり、実際の処理として、仮想入力面を特定している必要はない。
【００９１】
第２の実施の形態．
第２の実施の形態にかかる電子機器システムは、図１と同様である。図１２は、制御部１０の内部構成の一例を概略的に示す機能ブロック図である。制御部１０は図５の制御部１０と比較してロック処理部１４０を更に備えている。
【００９２】
ロック処理部１４０は、後述する条件を満足したときに、操作部への操作を制限する。制限の対象は、例えばタッチパネル５０および操作キー５の両方であってもよく、いずれか一方であってもよい。ここではタッチパネル５０の操作を制限する。また以下では、この制限をロックとも呼ぶ。ロックとは、操作部の操作のうち、予め定められた所定の操作を無効にすることをいう。ここでは、例えばロックの解除入力以外の操作を無効にする。ロック処理部１４０は例えばタッチパネル５０において解除操作が行われたときに、タッチパネル５０へのロックを解除する。
【００９３】
図１３は制御部１０の動作の一例を示すフローチャートである。図１３の例示では、図９のフローチャートと比べて、ステップＳ４，Ｓ５が更に設けられている。ステップＳ１において仮想入力面の傾斜が緩やかであると判断されたときに、ステップＳ３の次のステップＳ５にて、ロック処理部１４０はロックを行う。なお、ステップＳ５の直前でタッチパネル５０がロック状態であれば、ロック処理部１４０はステップＳ５にて改めてロック処理を行う必要はない。またステップＳ３，Ｓ５の実行順序は逆であってもよい。
【００９４】
一方で、ステップＳ１において仮想入力面の傾斜が急峻であると判断されたときに、ステップＳ２の次のステップＳ４にて、ロック処理部１４０はロックを解除する。なお、ステップＳ４の直前でタッチパネル５０がロック状態でなければ、ロック処理部１４０はステップＳ４にて解除処理を行う必要はない。またステップＳ２，Ｓ４の実行順序は逆であってもよい。
【００９５】
さて、ユーザは装着型入力機器２００により、電子機器１００から離れて操作できるので、第三者が電子機器１００を操作しようとしたときに、これを制止することが困難な場合がある。しかるに、本ロック処理部１４０によれば、仮想入力面の傾斜によりロックを行うことができるので、ユーザが電子機器１００から離れた状態であっても、第三者によるタッチパネル５０への操作を容易に制限することができる。
【００９６】
しかも、本ロック処理部１４０によれば、傾斜が緩やかな仮想入力面に対して操作部位を動かしたときに、ロックが制限されることになる。つまり、看取されにくい仮想入力面で入力を行っているときに、第三者によるタッチパネル５０への操作が制限される。よって、さらに秘匿性を向上できるのである。
【００９７】
また傾斜が急峻な仮想入力面に対して操作部位を動かしたときには、タッチパネル５０への操作の制限が解除される。このように、比較的看取されやすい仮想入力面で入力を行っているときには、ロックが解除される。このとき、ユーザは表示部３０を確認しながら、入力を行うことができる。
【００９８】
なお上述では、操作部による解除入力以外の操作を無効にしたが、ユーザは装着型入力機器２００により、ロックを解除できるので、操作部の全ての操作を無効にしても構わない。全ての操作を無効にすれば、第三者による電子機器１００の操作を無効にできるので、秘匿性を更に向上することができる。
【００９９】
第３の実施の形態．
第３の実施の形態にかかる電子機器システムは図１と同様であり、制御部１０の内部構成の一例は図１２と同様である。
【０１００】
第３の実施の形態では、ロック処理部１４０は、第２の実施の形態とは異なる条件を満たしたときに、ロックおよびその解除を行う。例えばロック処理部１４０は、タッチパネル５０および操作キー５を用いた操作が所定期間に渡って行われていないと判断したときに、操作部（ここでは例えばタッチパネル５０）へのロックを行う。この判定は、周知のタイマ回路を用いて、入力が行われていない期間を計時することで実現できる。
【０１０１】
あるいは、例えばロック処理部１４０は、ユーザが、ロックに割り当てられた操作キー５を操作したときに、タッチパネル５０のロックを行ってもよい。
【０１０２】
また、操作部位が、例えば外部との衝突することにより、所定値以上の移動速度で動いたときに、ロック処理部１４０がロックを行ってもよい。このような判定は、例えば加速度と所定値との大小関係に基づいて行うことができる。
【０１０３】
要するに、第３の実施の形態では、ロック処理部１４０は、仮想入力面の傾斜とは別の条件でロックを行うことができる。
【０１０４】
またロック処理部１４０は、タッチパネル５０へのロックの解除入力を受けて、ロックを解除する。この解除入力は、例えば、タッチパネル５０を用いた、解除用のパスワードの入力である。より具体的には、ロック処理部１４０は、タッチパネル５０を用いて入力されたパスワードが解除用パスワードと一致しているか否かを判定し、肯定的な判定がなされたときに、ロックを解除する。
【０１０５】
あるいは、解除入力として、例えば、タッチパネル５０を用いた、解除用の操作パターンを採用してもよい。ここでいう操作パターンとは、操作子を表示領域２ａ上で移動させたときの、当該操作子の軌跡である。この操作パターンはタッチパネル５０によって検出される。そして、ロック処理部１４０は、タッチパネル５０を用いて入力された操作パターンが解除用の操作パターンと一致しているか否かを判定し、肯定的な判定がなされたときに、ロックを解除する。
【０１０６】
さらに、第３の実施の形態では、このパスワードまたは操作パターンを、タッチパネル５０の操作ではなく、ユーザの操作部位の動きによっても入力することができる。パスワードを入力する場合、例えば、ユーザは、パスワードの入力開始を示す動きと、パスワードを構成する各要素（文字または数字）を順次に入力する動きと、パスワードの入力終了を示す動きとを、所定の仮想入力面に対して行う。
【０１０７】
そして、特定部１１０は、動き情報ＭＤ１に基づいて、上記動きについての仮想入力面の傾斜の程度をそれぞれ特定するとともに、上記の動きで示される入力内容を、それぞれ入力開始、パスワードの各要素および入力終了と特定する。仮想入力面の傾斜および入力内容は、ロック処理部１４０へと出力される。これにより、ロック処理部１４０は、入力されたパスワードを了知できる。
【０１０８】
また、解除用の操作パターンの入力も、操作部位の動きによって行うことができる。例えば、ユーザは、操作パターンの入力開始を示す動きと、操作パターンに沿った動きと、操作パターンの入力終了に対応した動き（例えば所定期間に渡る操作部位の静止）とを、所定の仮想入力面に対して行う。
【０１０９】
特定部１１０は、動き情報ＭＤ１に基づいて、上記動きについての仮想入力面の傾斜の程度をそれぞれ特定するとともに、上記の動きで示される入力内容を、それぞれ入力開始、操作パターンおよび入力終了と特定する。仮想入力面の傾斜および入力内容は、ロック処理部１４０へと出力される。これにより、ロック処理部１４０は、入力された操作パターンを了知できる。
【０１１０】
ロック処理部１４０は、上述のように、操作部位の解除入力（パスワードまたは操作パターンなど）を受け取るところ、仮想入力面の傾斜によっては、その解除入力を無効にする。より具体的には、仮想入力面の傾斜が急峻である場合には、ロック処理部１４０は、操作部位の動きによる解除入力を受け付けず、仮想入力面の傾斜が緩やかな場合に、操作部位の動きによる解除入力を受け付ける。
【０１１１】
図１４は、特定部１１０、輝度制御部１２０およびロック処理部１４０の具体的な動作の一例を示すフローチャートである。ステップＳ１〜Ｓ３は、図９のステップＳ１〜Ｓ３と同じである。
【０１１２】
ステップＳ２の次にステップＳ６にて、特定部１１０は操作部位の動きによる入力内容が、ロックの解除入力（例えばパスワードの入力または操作パターンの入力）であるのか否かを判断する。ステップＳ６にて否定的な判断がなされると動作を終了する。一方、肯定的な判断がなされると、ステップＳ８にて、ロック処理部１４０は、操作部位の動きによる解除入力を無効とする。つまり、仮想入力面の傾斜が急峻であるときには、仮に正しい解除入力が行われたとしても、ロックは解除されないのである。
【０１１３】
ステップＳ３の次のステップＳ７においても、ステップＳ６と同じ動作が行われる。ステップＳ７において否定的な判断がなされると、動作を終了する。一方で、肯定的な判断がなされると、ステップＳ９にて、ロック処理部１４０は、操作部位の動きによる解除入力を有効にする。よって、正しい解除入力が行われたときに、ロック処理部１４０はロックを解除することとなる。
【０１１４】
以上のように、ロック処理部１４０は、仮想入力面の傾斜が急峻であるときには、操作部位による解除入力を無効にする。つまり、第三者に動き看取されやすい仮想入力面に対して解除入力があったときには、ロック処理部１４０はロックを解除しないのである。これにより、たとえ解除用の操作部位の動きが第三者に看取されたとしても、それがロック解除用の動きであることは秘匿される。
【０１１５】
他方、傾斜が緩やかな仮想入力面に対する解除用の動きがあったときには、ロック処理部１４０は操作部位の動きによる解除入力を有効にする。つまり、第三者に動きが看取されにくい仮想入力面に対して解除入力があったときに、ロックを解除する。これにより、操作部位の動きを秘匿しつつロックを解除できる。
【０１１６】
第４の実施の形態．
第２及び第３の実施の形態では、互いに異なる条件で、タッチパネル５０にロックを行った。ここでは、第２の実施の形態の条件で行われるロックを一次ロックと呼び、第３の実施の形態の条件で行われるロックを二次ロックと呼ぶ。第４の実施の形態では、一次ロックおよび二次ロックの両方を採用する。また、以下において、一次ロックと二次ロックとを区別する必要がないときには、単にロックとも呼ぶ。
【０１１７】
第４の実施の形態にかかる電子機器システムは図１と同様であり、制御部１０の内部構成の一例は図１２と同様である。
【０１１８】
一次ロックは、例えば、操作部（例えばタッチパネル５０）または操作部位の動きによって正しい解除入力（例えばパスワードおよび操作パターン）が行われたときに、ロック処理部１４０によって解除されるとともに、第２の実施の形態と同様に、仮想入力面の傾斜が急峻な場合にも解除される。
【０１１９】
二次ロックは、第３の実施の形態と同様に、操作部または操作部位の動きによって正しい解除入力が行われたときに、ロック処理部１４０によって解除される。この解除入力は一次ロックおよび二次ロックで共通である。即ち、一つの解除入力によって一次ロックおよび二次ロックの両方が解除される。
【０１２０】
図１５は、特定部１１０、輝度制御部１２０およびロック処理部１４０の具体的な動作の一例を示すフローチャートである。ステップＳ１〜Ｓ３は、図９のステップＳ１〜Ｓ３と同じである。
【０１２１】
ステップＳ１にて仮想入力面の傾斜が急峻であると判断されたときには、ステップＳ２の次のステップＳ４’において、ロック処理部１４０は一次ロックを解除する。つまり第２の実施の形態と同様に、仮想入力面の傾斜が急峻であるときには、操作部位の動きが第三者によって比較的看取されやすいので、入力内容を秘匿する必要性は低く、一次ロックが不要であるとして一次ロックを解除するのである。
【０１２２】
次にステップＳ６’において、第３の実施の形態のステップＳ６と同様に、特定部１１０は、操作部位の動きによる入力内容がロックの解除入力であるのかを判断する。ステップＳ６’にて否定的な判定がなされると動作を終了する。一方、肯定的な判定がなされると、ステップＳ８’にて、ロック処理部１４０は、この操解除入力を無効とする。つまり、仮に正しい解除入力が行われたとしても、仮想入力面が急峻であるときには、二次ロックは解除されないのである。これにより、第三者が操作部位の動きを看取したとしても、それが解除入力であることは秘匿される。
【０１２３】
ステップＳ１にて仮想入力面の傾斜が緩やかであると判断されたときには、ステップＳ３の次のステップＳ５’において、ロック処理部１４０は第２の実施の形態と同様に一次ロックを行う。つまり仮想入力面の傾斜が緩やかであるときには、操作部位の動きが第三者によって比較的看取されにくいので、入力内容を秘匿する必要性が高いとして、一次ロックを行うのである。
【０１２４】
ステップＳ５’の次のステップＳ７’においても、ステップＳ６’と同様の動作が行われる。ステップＳ７’において否定的な判断がなされると、動作を終了する。一方で、肯定的な判断がなされると、ステップＳ９’にて、第３の実施の形態と同様に、ロック処理部１４０は解除入力を有効にする。そして、正しい解除入力が行われたときに、ロック処理部１４０は一次ロックおよび二次ロックを解除する。
【０１２５】
以上のように、たとえ仮想入力面の傾斜が緩やかであっても、ユーザの意思によって解除入力が行われる場合には、一次ロックも解除するのである。しかも、第三者に動きが看取されにくい仮想入力面に対して解除入力があったときに、一次ロックおよび二次ロックを解除している。これにより、秘匿性を保持しながらロックを解除できる。
【０１２６】
なお、ステップＳ２，Ｓ４’とステップＳ６’，Ｓ８’の一組との実行順序は任意であり、ステップＳ３とステップＳ５’，Ｓ７’，Ｓ９’の一組との実行順序は任意である。
【０１２７】
第５の実施の形態．
第５の実施の形態にかかる電子機器システムは図１と同様であり、制御部１０の内部構成の一例は図１２と同様である。第５の実施の形態でも、ユーザは、仮想入力面に対する操作部位の動きによって、ロック解除用のパスワードを入力する。
【０１２８】
ただし第５の実施の形態では、ユーザは、パスワードの各要素（文字または数字）を入力するときに、各要素に対応する動きを、異なる仮想入力面に対して行う。例えばパスワードが「１２３６」である場合に、図１６に示すように、「１」、「２」および「３」を、傾斜が緩やかな仮想入力面ＶＳ２に対する操作部位の動きによって入力し、「６」を、傾斜が急峻な仮想入力面ＶＳ１に対する操作部位の動きによって入力する。
【０１２９】
特定部１１０は、動き情報ＭＤ１に基づいて、上記動きについての仮想入力面の傾斜を特定するとともに、上記動きの軌跡パターンに対応する入力内容を、それぞれパスワードの要素として特定する。仮想入力面の傾斜およびパスワードの要素はロック処理部１４０へと順次に出力される。
【０１３０】
ロック処理部１４０は、順次に入力されたパス―ワードの各要素を表示部３０に表示するか否かを、そのときの仮想入力面の傾斜に基づいて決定する。図１６は、パスワードを入力するための操作部位の動きと、そのときの表示領域２ａの表示画面との一例を、概略的に示している。ロック処理部１４０は、パスワードを構成する各要素に対する操作部位の動きが、緩やかな仮想入力面ＶＳ２に対して行われたときには、そのパスワードを表示しない。図１６の例示では、表示領域２ａの表示（つまり表示部３０の表示）を終了することで、パスワードの要素を表示しない。
【０１３１】
一方で図１６の例示では、ユーザがパスワードの最後の要素たる「６」を示す動きを、傾斜が急峻な仮想入力面ＶＳ１に対して行っている。ロック処理部１４０は、パスワードを構成する各要素に対する操作部位の動きが、急峻な仮想入力面ＶＳ１に対して行われたときには、緩やかな仮想入力面ＶＳ２で入力された要素の内容を、表示部３０に表示せずに、急峻な仮想入力面ＶＳ１で入力された要素を表示する。なお図１６の例示では、要素「１」「２」「３」の内容を表示せずに、当該要素とは異なる情報としての記号「●」を表示しており、パスワードの全体として「●●●６」が表示されている。記号「●」はいわゆる伏字の一種である。
【０１３２】
以上のように、本動作によれば、操作部位の動きを看取されにくい仮想入力面ＶＳ２に対して操作部位を動かすことで入力した要素の内容を秘匿しつつ、パスワードが表示される。よってユーザは隠したい要素を緩やかな仮想入力面ＶＳ２で入力し、表示部３０で確認したい要素を急峻な仮想入力面ＶＳ１で入力すればよい。これにより、パスワード入力の利便性を向上することができる。
【０１３３】
なお図１６の例示では伏字が表示されているものの、入力された要素とは別の他の情報を表示すればよい。例えば、入力された要素「１２３」は異なる情報、例えば「２３４」を表示しても構わない。これによっても、正しいパスワードを秘匿できるからである。
【０１３４】
図１７は、上述の動作の一例を示すフローチャートである。図１７のステップＳ１〜Ｓ３は図９のステップＳ１〜Ｓ３と同様である。ステップＳ１にて仮想入力面の傾斜が急峻であると判断したときには、ステップＳ２の次のステップＳ１０にて、特定部１１０は、操作部位の軌跡パターンに対応する入力内容が、パスワードの要素の入力であるか否かを判断する。例えば操作部位によってパスワードの入力開始を示す動きが以前に行われ、かつ、操作部位によってパスワードの入力終了を示す動きが未だ行われていないときに、その入力内容が、パスワードの要素の入力であると判断する。
【０１３５】
ステップＳ１０にて否定的な判断がなされると、動作を終了し、ステップＳ１０にて肯定的な判断がなされると、ステップＳ１２にて、ロック処理部１４０は、傾斜が緩やかな仮想入力面に対して入力されたパスワードの各要素を表示部３０に表示せずに、傾斜が急峻な仮想入力面で入力されたパスワードの要素を表示部３０に表示する。
【０１３６】
ステップＳ１にて仮想入力面の傾斜が緩やかであると判断したときには、ステップＳ３の次のステップＳ１１にて、ステップＳ１０と同様の動作が行われる。ステップＳ１１にて否定的な判断がなされると動作を終了する。一方で、肯定的な判断がなされると、ステップＳ１３にてロック処理部１４０は、入力されたパスワードを表示部３０に表示しない。なお、ステップＳ３にて、輝度制御部１２０が輝度を零にして表示部３０の表示を終了する場合には、ステップＳ１１，Ｓ１３は必要ではない。
【０１３７】
また、ステップＳ２とステップＳ１０，Ｓ１２の一組の実行順序は逆であってもよく、ステップＳ３とステップＳ１１，Ｓ１３の一組の実行順序は逆であってもよい。
【０１３８】
また、第５の実施の形態は、必ずしもロック処理に限らず、他の表示処理にも適用可能である。即ち、傾斜が緩やかな仮想入力面に対する操作部位の第１動きに対応する第１入力内容に、第１情報が含まれているときには、第１情報を表示しない。また、傾斜が急峻な仮想入力面に対する操作部位の第２動きに対応する第２入力内容に、第２情報の表示が含まれているときには、その第２情報を表示しつつも、傾斜が緩やかな仮想入力面で入力された第１情報は表示しない。なお第１情報を表示しないとは、その内容が表示されなければよく、第１情報とは異なる第３情報（例えば入力があったことを示す記号など）を表示しても構わない。
【０１３９】
第６の実施の形態．
第６の実施の形態にかかる電子機器システムの構成は図１と同様である。図１８は制御部１０の内部構成の一例を概略的に示す機能ブロック図である。制御部１０は図５と比較して、通信判定部１５０を更に備えている。
【０１４０】
通信判定部１５０は、装着型入力機器２００から受信した受信信号に基づいて、装着型入力機器２００と電子機器１００との間の通信品質を反映する値（課題を解決する手段の通信値に相当）を算出し、その値が所定の通信基準値よりも高いか否かを判定する。ここでは、その値として、例えば、受信信号の受信強度（例えば電力）を採用し、受信強度が所定の受信基準値よりも大きいか小さいかを判定する。この受信強度は、電子機器１００と装着型入力機器２００との間の距離が長いほど低減し、また電子機器１００と装着型入力機器２００との間に遮蔽物が存在すると、低減する。受信信号と受信基準値との大小の判断結果は輝度制御部１２０へと出力される。
【０１４１】
図１９は、制御部１０の具体的な動作の一例を示すフローチャートである。装着型入力機器２００は例えば所定時間ごとに電子機器１００へと信号を送信する。図１９の動作は例えば電子機器１００が装着型入力機器２００からの信号を受信する度に実行される。まずステップＳ３０にて、通信判定部１５０は、上述のように受信強度が受信基準値よりも大きいか否かを判断する。ステップＳ３０にて肯定的な判断がなされると、ステップＳ３１にて、制御部１０は第１の実施の形態で述べた輝度制御を実行する。つまり、仮想入力面の傾斜に応じて表示部３０の輝度を制御する。
【０１４２】
ステップＳ３０にて否定的な判断がなされると、ステップＳ３２にて、輝度制御部１２０は、表示部３０の輝度を低い値に設定する。例えば輝度を零にしてもよい。
【０１４３】
以上のように、電子機器１００とユーザとの間の距離が大きいとき、または、遮蔽物が存在するときには、表示部３０の輝度を低下している。つまり、ユーザが電子機器１００を直接に操作しないと思われる状況では、輝度を低くすることで、第三者による表示部３０の看取を抑制するのである。
【０１４４】
なお、図１９の例示とは異なって、ステップＳ３２は、受信強度が受信基準値よりも大きい状態から小さい状態に切り替わったときに行ってもよく、受信強度が受信基準値よりも小さいときに繰り返し行わなくても構わない。この切り替わりは例えば次のようにして検出できる。即ち、通信判定部１５０は、受信強度を記憶しておき、前回の受信強度が受信基準値よりも小さく、かつ、今回の受信強度が受信基準値よりも高いときに、この切り替わりを検出すればよい。
【０１４５】
これにより、たとえ受信強度が受信基準値よりも小さい状態であっても、ユーザによって表示部の輝度を上げる入力が操作部または操作部位の動きによって行われたときに、この入力を有効にすることができる。
【０１４６】
また逆に、受信強度が受信基準値よりも小さい状態から受信基準値よりも大きい状態へと切り替わったときに、輝度制御部１２０は、表示部３０の輝度を高い値にしてもよい。なお受信強度が受信基準値よりも大きい状態で、ユーザが仮想入力面に対して操作部位を動かしたときには、ステップＳ３１にて、仮想入力面に応じた輝度制御が行われる。
【０１４７】
図２０は制御部１０の内部構成の一例を概略的に示す機能ブロック図である。制御部１０は図１８と比較してロック処理部１４０を更に備えている。図２１は、制御部１０の具体的な動作の一例を示すフローチャートである。図１９と比較して、ステップＳ３３，Ｓ３４が更に設けられている。ステップＳ３０にて否定的な判断がなされると、ステップＳ３２の次のステップＳ３４にて、ロック処理部１４０は操作部のロックを行う。つまり、第４の実施の形態では、通信品質が低いという条件でもロックが行われる。なおステップＳ３２，Ｓ３４の実行順序は逆でもよい。
【０１４８】
一方でステップＳ３０にて肯定的な判断がなされると、ステップＳ３１の次のステップＳ３４にて、ロック処理部１４０は、通信品質が低いという条件で行われたロックを解除する。なおステップＳ３１，Ｓ３３の実行順序は逆でもよい。
【０１４９】
以上の動作によれば、ユーザが電子機器１００から遠い状況、あるいは、遮蔽物が存在する状況において、第三者による電子機器１００への操作を制限でき、ユーザが電子機器１００に近い状況あるいは遮蔽物が存在しない状況で、電子機器１００へのロックを解除できる。したがって、ユーザが第三者による操作を制止しにくい状況で、第三者の操作を制限できる。
【０１５０】
なお、ステップＳ３４も、受信強度が受信基準値よりも大きい状態から小さい状態に切り替わったときに、行えばよく、受信強度が受信基準値よりも小さいときに繰り返し行わなくても構わない。そして、受信強度が受信基準値よりも小さい状態であっても、操作部位の動きによる正しい解除入力が行われたときには、ロック処理部１４０は、ステップＳ３４で行われたロックを解除してもよい。これにより、ロックの解除についての利便性を向上できる。
【０１５１】
また図２１の例示では、ステップＳ３２を実行しているものの、この実行を省略しても構わない。
【０１５２】
次に、第２及び第３の実施の形態で説明した条件で行われる一次ロックおよび二次ロックを含めて、そのロック条件と解除条件について纏める。ここでは、図２１のステップＳ３４のロックを三次ロックと呼ぶ。
【０１５３】
一次ロックは、第２の実施の形態で説明したように、(i)仮想入力面の傾斜が緩やかという第１ロック条件が成立したときに行われ、三次ロックは、上述のように(iii)通信品質が通信基準値よりも低い第３ロック条件が成立したときに行われ、二次ロックは、(ii)第１ロック条件および第３ロック条件以外の第２ロック条件（例えば所定期間の操作未入力など）が成立したときに行われる。
【０１５４】
次に解除条件について述べる。例えば、(I)操作部位の動き、または、操作部による正しい解除入力は、一次ロックから三次ロックのいずれに対しても解除できる。また例えば、(II)仮想入力面の傾斜が急峻であるという解除条件は、一次ロックのみを解除することができ、(III)通信品質が高いという解除条件は、三次ロックのみを解除することができる。
【０１５５】
図２２は、装着型入力機器２００の構成の一例を概略的に示す図である。装着型入力機器２００は、図２と比べて、報知部２３０を更に備えている。報知部２３０は、例えば振動部、音声出力部または表示部であって、ユーザに対して報知を行う。
【０１５６】
図２３は、制御部１０と報知部２３０の動作の一例を示すフローチャートである。図２１と比較して、ステップＳ３５が更に設けられている。ステップＳ３４の次のステップＳ３５にて、制御部１０は、報知部２３０に報知を指示する信号を、近接無線通信部２２を介して、装着型入力機器２００へと送信する。これを受信した装着型入力機器２００において、報知部２３０はユーザに対して報知を行う。例えば報知部２３０が振動部である場合には、所定の振動パターンで振動することによって、ユーザに報知を行う。或いは、報知部２３０が表示部である場合には、対応する所定内容を表示し、或いは、報知部２３０が音声出力部である場合には、予め定められた音（音声を含む）を出力する。
【０１５７】
これにより、ユーザは、輝度が低下したこと、および、ロックが行われたことを認識することができる。
【０１５８】
なお、ステップＳ３５は、受信強度が受信基準値よりも大きい状態から小さい状態に切り替わってから所定期間のみ行えばよく、受信強度が受信基準値よりも小さいときに繰り返し実行しなくてもよい。所定期間は例えば予め設定されており、報知部２３０が周知のタイマ回路を用いて所定時間を計時できる。なお、装着型入力機器２００に操作部を設け、当該操作部の操作によって、報知を終了してもよい。
【０１５９】
また、図２３ではステップＳ３２とステップＳ３３，Ｓ３４の一組との両方が行われているものの、ステップＳ３２とステップＳ３３，Ｓ３４の一組との少なくともいずれか一方が行われればよい。これによっても、ユーザは、輝度が低下したこと、あるいは、ロックが行われたことを認識することができる。
【０１６０】
図２４は制御部１０の内部構成の一例を概略的に示す図である。制御部１０は、図２２と比較して、表示制御部１６０を更に備えている。図２５は、制御部１０の動作の一例を示すフローチャートである。図２２の例示では、ステップＳ３２の替わりにステップＳ３２’が設けられ、またステップＳ３６，Ｓ３７が更に設けられている。ステップＳ３２’においては、輝度制御部１２０は輝度を零にして表示部３０の表示を終了する。つまり表示部３０を非表示とする。
【０１６１】
ステップＳ３５の次のステップＳ３６においては、制御部１０は、表示部３０を非表示から表示の状態に切り替える操作が、操作部を用いて行われたか否かを判断する。例えばこの操作は、操作キー５の押下によって行われる。そして、この操作キー５の押下をキー操作部５２が検出し、その情報を制御部１０へと出力する。当該情報を受け取った制御部１０はステップＳ３６において肯定的な判断を行い、その判断結果を表示制御部１６０へと出力する。ステップＳ３６にて否定的な判断がなされると、動作を終了し、肯定的な判断がなされると、ステップＳ３７にて、例えば記憶部７０に格納された最新の画像情報ではなく、例えば記憶部７０に予め格納されたダミー表示画面を表示部３０に表示する。このダミー表示画面は記憶部７０に格納された最新の画像情報よりも、秘匿を要求されない画面である。
【０１６２】
これにより、ユーザが電子機器１００を直接に操作しにくい状況であっても、あるいは、第三者の電子機器１００への操作を制止しにくい状況であっても、ユーザが電子機器１００で行った表示以外のダミー画面が表示されるので、ユーザによる入力内容の秘匿性を向上できる。
【０１６３】
以上のように、本発明は詳細に説明されたが、上記した説明は、すべての局面において、例示であって、本発明がそれに限定されるものではない。例示されていない無数の変形例が、本発明の範囲から外れることなく想定され得る。例えば特定部１１０は装着型入力機器２００に設けられてもよい。この場合、例えば、仮想入力面の傾斜についての情報と、操作部位の動きに対応する入力内容とが、装着型入力機器２００から電子機器１００へと送信される。
【０１６４】
実施の形態は、相互に矛盾しない限り、互いに組み合わせて実施することができる。
【符号の説明】
【０１６５】
３０  表示部
５０  タッチパネル
５２  操作キー
１００  電子機器
１１０  特定部
１２０  輝度制御部
１３０  処理部
１４０  ロック処理部
１５０  通信判定部
１６０  表示制御部
２００  装着型入力機器
２２０  動き情報検出部
２２１  加速度センサ
２３０  報知部
【図１】
0006335733.tif 000002
【図２】
0006335733.tif 000003
【図３】
0006335733.tif 000004
【図４】
0006335733.tif 000005
【図５】
0006335733.tif 000006
【図６】
0006335733.tif 000007
【図７】
0006335733.tif 000008
【図８】
0006335733.tif 000009
【図９】
0006335733.tif 000010
【図１０】
0006335733.tif 000011
【図１１】
0006335733.tif 000012
【図１２】
0006335733.tif 000013
【図１３】
0006335733.tif 000014
【図１４】
0006335733.tif 000015
【図１５】
0006335733.tif 000016
【図１６】
0006335733.tif 000017
【図１７】
0006335733.tif 000018
【図１８】
0006335733.tif 000019
【図１９】
0006335733.tif 000020
【図２０】
0006335733.tif 000021
【図２１】
0006335733.tif 000022
【図２２】
0006335733.tif 000023
【図２３】
0006335733.tif 000024
【図２４】
0006335733.tif 000025
【図２５】
0006335733.tif 000026